(57)【要約】  引き込みガイドワイヤであって、例えば、臓器壁を通して治療部位へ送達するための細長い形態から、臓器壁を引き込むための展開形態へ推移するように形成された引き込みガイドワイヤを含む、引き込みガイドワイヤが開示される。展開形態は、ステム部分と、遠位端及び近位端を有するドーム部分とを含み、ステム部分はドーム部分の遠位端から近位側へ延びている。【選択図】図１
2019500924.tif 000002
【特許請求の範囲】
【請求項１】
細長い形態から展開形態へ推移するように形成された引き込みガイドワイヤであって、前記引き込みガイドワイヤの前記展開形態が、
ステム部分と、
遠位端及び近位端を有するドーム部分と
を含み、前記ステム部分が前記ドーム部分の遠位端から近位側へ延びている、
引き込みガイドワイヤ。
【請求項２】
前記ドーム部分が、第１側と、前記第１側とは横方向で反対側に画定された第２側とを有しており、さらに、前記ドーム部分が、前記ドーム部分の前記遠位端から前記近位端へ延びる、前記ドーム部分の前記第１側に位置する第１接触ループと、前記ドーム部分の前記遠位端から前記近位端へ延びる、前記ドーム部分の前記第２側に位置する第２接触ループと、を含む、請求項１に記載の引き込みガイドワイヤ。
【請求項３】
前記ドーム部分の前記近位端が、臓器の表面に係合するためのほぼ平面的な係合面を画定する、請求項１に記載の引き込みガイドワイヤ。
【請求項４】
前記ドーム部分が、前記ドーム部分の前記近位端に位置するワイヤのアーチ状の延びによって画定された第１足部と、前記ドーム部分の前記近位端に位置するワイヤのアーチ状の延びによって画定された第２足部とを含む、請求項１に記載の引き込みガイドワイヤ。
【請求項５】
前記ドーム部分が開いた内部領域を画定しており、前記内部領域を通って前記ステム部分が延びている、請求項１に記載の引き込みガイドワイヤ。
【請求項６】
前記ドーム部分と前記ステム部分とが係止配列を成して相互結合されており、前記係止配列が、前記引き込みガイドワイヤの複数の交差セグメントを含む、請求項１に記載の引き込みガイドワイヤ。
【請求項７】
前記ステム部分が近位方向に引き込まれる結果として、前記ドーム部分の遠位端に位置する前記引き込みガイドワイヤの複数の交差セグメントに圧縮力が加えられるように、前記ドーム部分が前記ステム部分から延びている、請求項１に記載の引き込みガイドワイヤ。
【請求項８】
前記引き込みガイドワイヤが遠位端と近位端とを有しており、さらに、前記引き込みガイドワイヤの前記遠位端が前記ドーム部分の前記遠位端に配置されている、請求項１に記載の引き込みガイドワイヤ。
【請求項９】
前記引き込みガイドワイヤがモノリシックな長さのニッケル−チタンフィラメントとして形成されている、請求項１に記載の引き込みガイドワイヤ。
【請求項１０】
前記引き込みガイドワイヤの外径が０．８ｍｍ以下である、請求項１に記載の引き込みガイドワイヤ。
【請求項１１】
前記ドーム部分が、前記ステム部分から所定の半径方向距離だけ間隔を置いたアーチ状接触足部を画定している、請求項１に記載の引き込みガイドワイヤ。
【請求項１２】
前記ドーム部分が非外傷性である、請求項１に記載の引き込みガイドワイヤ。
【請求項１３】
第１端部から第２端部へ延びる引き込みガイドワイヤを製造する方法であって、前記方法が、比較的細長い形態から展開形態へ弾性的に推移するようにフィラメントを処理することを含み、前記展開形態が、ステム部分と、遠位端及び近位端を有するドーム部分とを含み、前記ステム部分が前記ドーム部分の遠位端から近位側へ延びている、方法。
【請求項１４】
前記展開形態が、第１側と、前記第１側とは横方向で反対側に画定された第２側とを有する前記ドーム部分を含むように、前記フィラメントが処理され、さらに、前記ドーム部分が、前記ドーム部分の前記遠位端から前記近位端へ延びる、前記ドーム部分の前記第１側に位置する第１接触ループと、前記ドーム部分の前記遠位端から前記近位端へ延びる、前記ドーム部分の前記第２側に位置する第２接触ループと、を含む、請求項１３に記載の方法。
【請求項１５】
前記展開形態が、臓器の表面に係合するためのほぼ平面的な係合面を画定する前記ドーム部分の近位端を含むように、前記フィラメントが処理される、請求項１３に記載の方法。
【請求項１６】
前記展開形態が、前記ドーム部分の前記近位端に位置するワイヤのアーチ状の延びによって画定された第１足部と、前記ドーム部分の前記近位端に位置するワイヤのアーチ状の延びによって画定された第２足部とを含む前記ドーム部分を含むように、前記フィラメントが処理される、請求項１３に記載の方法。
【請求項１７】
前記展開形態が、開いた内部領域を画定する前記ドーム部分を含み、前記内部領域を通って前記ステム部分が延びるように、前記フィラメントが処理される、請求項１３に記載の方法。
【請求項１８】
前記展開形態が、係止配列を成して相互結合された前記ドーム部分と前記ステム部分とを含み、前記係止配列が、前記引き込みガイドワイヤの複数の交差セグメントを含むように、前記フィラメントが処理される、請求項１３に記載の方法。
【請求項１９】
前記ステム部分が近位方向に引き込まれる結果として、前記ドーム部分の遠位端に位置する前記引き込みガイドワイヤの複数の交差セグメントに圧縮力が加えられるように、前記展開形態が前記ステム部分から延びる前記ドーム部分を含むように、前記フィラメントが処理される、請求項１３に記載の方法。
【請求項２０】
前記展開形態が遠位端と近位端とを有する前記引き込みガイドワイヤを含むように前記フィラメントが処理され、さらに、前記引き込みガイドワイヤの前記遠位端が前記ドーム部分の前記遠位端に配置される、請求項１３に記載の方法。
【請求項２１】
前記引き込みガイドワイヤがモノリシックな長さのニッケル−チタンフィラメントとして形成される、請求項１３に記載の方法。
【請求項２２】
前記フィラメントの外径が前記細長い形態では０．８ｍｍ以下である、請求項１３に記載の方法。
【請求項２３】
前記展開形態が、前記ステム部分から所定の半径方向距離だけ間隔を置いたアーチ状接触足部を画定する前記ドーム部分を含むように、前記フィラメントが処理される、請求項１３に記載の方法。
【請求項２４】
前記展開形態が非外傷性である前記ドーム部分を含むように、前記フィラメントが処理される、請求項１３に記載の方法。
【請求項２５】
引き込みガイドワイヤを細長い形態から展開形態へ展開する方法であって、前記方法が、
送達デバイスによって臓器壁に穿孔を形成することと、
前記送達デバイスから前記引き込みガイドワイヤを延ばして、前記引き込みガイドワイヤが展開形態へ推移するようにすることと
を含み、前記展開形態が、
ステム部分と、
遠位端及び近位端を有するドーム部分と
を含み、前記ステム部分が前記ドーム部分の遠位端から近位側へ延びている、方法。
【請求項２６】
前記ドーム部分が前記臓器壁に引き込み力を加えるように、前記ステム部分を緊張させることを更に含む、請求項２５に記載の方法。
【請求項２７】
前記送達デバイスが中空針である、請求項２５に記載の方法。
【発明の詳細な説明】
【技術分野】
【０００１】
ドレナージは、管腔の閉塞又は狭窄から生じる多くの悪性及び良性の消化器（ＧＩ）疾患を取り扱うための一般的な治療アプローチである。いくつかの例としては、限定されないが、総胆管の悪性又は良性胆道閉塞に起因する胆道ドレナージ、悪性又は良性十二指腸狭窄に起因する十二指腸ドレナージ、及び胆石によって誘発される急性胆嚢炎に起因する経乳頭的胆嚢ドレナージが挙げられる。
【背景技術】
【０００２】
外科的技術、経皮的腹腔鏡技術及び内視鏡技術を用いてドレナージを実施することができる。歴史的には、内視鏡ドレナージ技術は一般に、天然管腔の内部ドレナージのみ、例えば経乳頭的ドレナージ又はＧＩ管内部自体のドレナージに制限されている。ドレナージを行うために天然管腔に内視鏡的にアクセスできないならば、患者は経皮的ドレナージのために画像下治療医（interventional radiologist）に委ねられるか、又は最後の手段として外科医に委ねられるのが典型的であった。超音波内視鏡（ＥＵＳ）における最近の進歩は、経皮的又は外科的ドレナージ技術に代わる、侵襲性のより低い経壁的内部ドレナージ手段（例えば天然管腔の外部に出る）を提供している。
【０００３】
経壁的ＥＵＳ内部ドレナージ用途におけるステントのための現在の送達システムは、天然管腔外部への漏れが生じる結果として重篤な病的状態又は死に至らしめるリスク、並びに送達システムを複雑なものにして手順を煩わしくし多大な時間を費やすリスクを含む、いくつかの難題に直面している。ドレナージデバイスは、種々の臓器の間の内部ドレナージのために使用することができる。考えられる選択肢のうちのいくつかは、十二指腸−総胆管（ＣＢＤ）、胃−肝臓、胃−空腸、胆嚢−十二指腸、胆嚢−空腸、及び胃−膵臓である。ドレナージシステムの送達及び使用に際して、種々の合併症が生じるおそれがある。例えば、ドレナージシステムの送達中に臓器壁を穿孔する結果、その臓器内部に含まれる内容物が、漏れた内容物に耐えることができない身体部位内に移動することがある。漏れのリスクを軽減するために、穿孔される２つの臓器の壁を強制的に互いに接触させることにより、臓器内容物が一方の臓器から他方の臓器へわたり、意図しない生体構造内へは達しないようにすることができる。様々な処置には、（例えば連続的なリアルタイムの超音波誘導を受けながら）臓器を貫通する、ひいては開孔するための細い針の使用が含まれる。
【発明の概要】
【課題を解決するための手段】
【０００４】
本開示の種々の発明態様が、合併症のリスクを軽減する送達メカニズムを促し、そして経壁的処置のためのデバイスの安全且つ効果的な送達を容易にする。本開示のいくつかの態様は、細長い形態から展開形態へ推移するように形成された引き込みガイドワイヤに関連する。展開形態は、ステム部分と、遠位端及び近位端を有するドーム部分とを含み、ステム部分がドーム部分の遠位端から近位側へ延びている。
【０００５】
多数の実施態様が開示されているが、本発明の具体的実施態様を図示し記載した下記詳細な説明から、本発明のさらに他の実施態様が当業者には明らかになる。従って、図面及び詳細な説明は、例示のためのものと見なすべきであり、制限的なものとは見なすべきでない。
【図面の簡単な説明】
【０００６】
【図１】図１は、いくつかの実施態様に基づく引き込みガイドワイヤを展開状態で示す等角図である。
【０００７】
【図２】図２は、いくつかの実施態様に基づく図１の引き込みガイドワイヤを示す側面図である。
【０００８】
【図３】図３は、いくつかの実施態様に基づく図１の引き込みガイドワイヤを示す正面図である。
【０００９】
【図４】図４は、いくつかの実施態様に基づく図１の引き込みガイドワイヤを示す上面図である。
【００１０】
【図５】図５は、いくつかの実施態様に基づく図１の引き込みガイドワイヤを、臓器壁の穿孔（fenestration）を通して展開された、引き込み前の状態で示す等角図である。
【００１１】
【図６】図６は、いくつかの実施態様に基づく図４の引き込みガイドワイヤを、臓器壁の穿孔を通して展開された、引き込み後の状態で示す等角図である。
【発明を実施するための形態】
【００１２】
種々の実施態様が図面に示されているが、図示のものに付加される特徴及び図示のものの代わりとなる特徴が本開示によって提供される。
【００１３】
種々の実施態様は、送達システム、例えば内視鏡送達システムのための引き込みガイドワイヤに関する。微細な又は小さな直径から成る引き込みガイドワイヤを使用すると、引き込みガイドワイヤを展開するための細針（例えば中空超音波内視鏡細針）の使用が容易になる。また、臨床医又は他の使用者は、より小さな穿孔を通して引き込みガイドワイヤを展開することができる。いくつかの実施態様では、引き込みガイドワイヤは、交差ワイヤセグメントによって、細長い形態から、逆さカップ形態又は凹状形態とも記載するドーム形態へ展開され、交差ワイヤセグメントは、使用者が細いワイヤで臓器壁にかなりの引き込み力を加えるのを可能にする。このような特徴は様々な用途に利用されるが、いくつかの実施態様では、引き込みガイドワイヤは、外科的処置、例えば経壁的超音波内視鏡（ＥＵＳ）内部ドレナージ用途との関連において、第１臓器の第１壁を第２臓器の第２壁と接触するように引き付けるために利用される。種々の実施態様は、ニッケル−チタン合金ワイヤ（「ＮｉＴｉワイヤ」）との関連において説明されるが、種々様々な材料（例えばステンレス鋼又は形状記憶ポリマー）が考えられる。
【００１４】
図１は、いくつかの実施態様に基づく引き込みガイドワイヤ２０を展開状態で示す等角図である。図示のように、引き込みガイドワイヤ２０は、単一のワイヤ、又はフィラメントから形成されており、第１端部２２から第２端部２４へ延びており、比較的細長い形態（例えば細針内部に保持されるとき）から、臓器壁Ｗに係合するための展開形態へ弾性的に推移するように処理されている（例えば１つ又は２つ以上のマンドレルを使用して熱処理されている）。単一のフィラメントが図示され記載されており、またこれは上述のように特に有利であるものの、言うまでもなく編組型又は他のマルチフィラメント型ガイドワイヤ形態も考えられる。例えば、モノリシックフィラメント、又はモノフィラメントの代わりに、ガイドワイヤ２０は密に編組された複数のフィラメントから形成することもできる。ガイドワイヤ２０は任意には超弾性合金、例えばニッケル−チタン合金から形成されているものの、前述のように他の材料も考えられる。ガイドワイヤ２０は任意には、被膜（例えば、ｅＰＴＦＥメンブラン・オーバーラップ、又は他の特徴）、又は例えば所望の表面処理を含んでいる。
【００１５】
展開形態では、ガイドワイヤ２０は、ステム３０、又はステム部分３０（臓器壁Ｗ内のアパーチャを通って延びる状態で図示されている）と、ドーム３２、又はドーム部分３２とを画定するように、比較的曲がりくねった経路を通って延びており、ドーム部分３２の底面は臓器壁Ｗに係合している状態で図示されている。
【００１６】
図示のように、ステム３０は長手方向において比較的細長い形態で延びるように付勢されており、長手方向は、近位−遠位方向であり、このような「近位側」及び「遠位側」という用語は本明細書中に使用されている。ステム３０は、近位端３６と、遠位端３８と、展開形態におけるガイドワイヤ２０の形状全体の中心長手方向軸線Ｘとを画定するものの、オフセット（角度及び／又は横方向のオフセット）が生じることも考えられる。
【００１７】
図２、３及び４は、いくつかの実施態様に基づく、展開状態（拡張状態とも記載する）における引き込みガイドワイヤ２０をそれぞれ側面、正面、及び上面から見て示している。図示のように、ドーム３２は、側面から見た場合にはほぼ半円形状（半円）（図２）、正面から見た場合にはベル形状（図３）、そして上面から見た場合には四分の三の円の形状（アーチ状レリーフを有する）（図４）に近似しているか、又はこれらの形状を画定している。引き込みガイドワイヤ２０の種々のセグメント又は部分について説明する上で、図２の側面図は、Ｘ−Ｚ平面（又は単に「Ｘ平面」）に面すると考えられ、図３の正面図は、Ｙ−Ｚ平面（又は単に「Ｙ平面」）に面すると考えられ、そして図４の上面図は、Ｘ−Ｙ平面（又は単に「Ｚ平面」）に面すると考えられる。
【００１８】
いくつかの実施態様では、引き込みガイドワイヤ２０のドーム３２は、一般に、近位端４０と、遠位端４２と、第１接触ループとも記載する第１ローブ４４と、第２接触ループとも記載する第２ローブ４６とを画定している。ドーム部分はまた、ステム部分３０がそれを通って延びる開いた内部４８を画定している。ドーム３２は、複数の交差ワイヤセグメントを含むので、ステム部分３０を引き込むと、第１ローブ４４及び第２ローブ４６に圧潰力が加えられる。これらのローブは圧潰に弾性的に抵抗する。こうして、引き込みガイドワイヤ２０は弾性引き込み力を、臓器壁Ｗを引き込むためにドーム部分３２の近位端４０に伝える。
【００１９】
いくつかの実施態様では、第１ローブ４４は、第１脚部５０と、第１足部５２と、第２脚部５４とを含んでいる。
【００２０】
図２に示されているように、Ｘ平面内では、第１脚部５０はステム３０の遠位端３８から近位側へアーチ状経路を通って延びている。図３及び４に示されているように、第１脚部５０はＹ平面内及びＺ平面内ではほぼ直線状に延びている（さほど湾曲していない）ものの、第１脚部５０は隣接するワイヤセグメントへの円弧状（radiused）又はアーチ状の移行部を含んでいる。第１脚部５０は、ステム３０の遠位端３８から、第２脚部５４の上方に、そしてまた第２ローブ４６の上方に延びている。
【００２１】
いくつかの実施態様では、第１足部５２は第１脚部５０からアーチ状に延びることにより、ドーム３２の近位端４０に底部接触面を画定している。図２及び３に示されているように、Ｘ平面内及びＹ平面内では、第１足部５２はほぼ直線状に延びており、ドーム３２の比較的平らな底部接触面を画定している。図４に示されているように、第１足部５２はＺ平面内ではアーチ状経路を通って延びている（例えば１８０度未満）。ステム３０に対する第１足部５２の半径は、例えば約２０ｍｍ（約４０ｍｍのドーム部分の直径全体に相当する）であるものの、種々の寸法が考えられる。第１足部５２はまた、隣接するワイヤセグメントへの円弧状又はアーチ状の移行部を含む。
【００２２】
いくつかの実施態様では、第２脚部５４は第１足部５２から遠位側へ上方に延びている。図２に示されているように、第２脚部５４はＸ平面内ではアーチ状経路を成して延びている。図３に示されているように、第２脚部５４はＹ平面内では反曲しているか、或いはＳ字形状を画定しており、第１足部５２から第２ローブ４６内へ延びている。図４に示されているように、Ｚ平面内では、第２脚部５４は第１足部５２からほぼ直線状に上方へ向かって延びているものの、アーチ状経路も考えられる。第２脚部５４は次いで、アーチ状移行部６０を通って第２ローブ４６へ移行する。アーチ状移行部６０は第１脚部５０の下側を通る。この場所では、第１脚部５０はステム３０から移行している。いくつかの実施態様では、アーチ状移行部の半径は約８ｍｍであるが、種々の寸法が考えられる。第２脚部５４はまた、隣接するワイヤセグメントへの円弧状又はアーチ状の移行部を含む。
【００２３】
いくつかの実施態様では、第２ローブ４６は、第３脚部７０と、第２足部７２と、第４脚部７４とを含む。
【００２４】
図１に示されているように、第３脚部７０は第１ローブ４４の第２脚部５４から近位側へ下方に延びている。図２に示されているように、第３脚部７０はＸ平面内ではアーチ状経路を成して延びている（部分的に隠れている）。図３に示されているように、第３脚部７０はＹ平面内では反曲しているか、或いはＳ字形状を画定しており、第１ローブ４４の第２脚部５４から延びている。第３脚部７０は第２脚部５４からアーチ状移行部６０を通って延びている。アーチ状移行部６０は、第１脚部５０の下側を通っている。図４に示されているように、Ｚ平面内では、第３脚部７０は第２脚部５４から第２足部７２へほぼ直線状に下方へ向かって延びているものの、アーチ状経路も考えられる。第３脚部７０はまた、隣接するワイヤセグメントへの円弧状又はアーチ状の移行部を含む。
【００２５】
いくつかの実施態様では、第２足部７２は第３脚部７０からアーチ状に延びることにより、ドーム３２の近位端４０に底部接触面を画定している。図２及び３に示されているように、Ｘ平面内及びＹ平面内では、足部７２（図２では大部分が隠れている）はほぼ直線状に延びており、ドーム３２の比較的平らな底部接触面を画定している。図４に示されているように、第２足部７２はＺ平面内ではアーチ状経路を通って延びている（例えば１８０度未満）。ステム３０に対する第２足部７２の半径は、例えば約２０ｍｍであるものの、種々の寸法が考えられる。このようにＺ平面から見たドーム３２の幅、又はガイドワイヤ２０のフットプリントは、いくつかの実施態様によれば、近位端４０において約４０ｍｍであるものの、種々の寸法が考えられる。換言すれば、ガイドワイヤ２０が示す、折り畳み形態から拡張形態への交差形状比（crossing profile ratio）は、いくつかの実施態様によれば１：４０を上回る（例えば、直径１ｍｍ未満のガイドワイヤが、直径約４０ｍｍの複雑な形状へ推移する）。第２足部７２はまた、隣接するワイヤセグメントへの円弧状又はアーチ状の移行部を含む。いくつかの実施態様では、足部分５２，７４の種々の円弧状移行部は、例えば、ドーム部分３２が展開形態において非外傷性であり、且つ組織を貫通又は穿刺しないことを保証するのを助ける。
【００２６】
図２に示されているように、Ｘ平面内では、第４脚部７４は第２足部７２から遠位側へ上方にアーチ状経路を通って延びている。図３及び４に示されているように、第４脚部７４はＹ平面内及びＺ平面内ではほぼ直線状に延びている（さほど湾曲していない）ものの、第４脚部７４は隣接するワイヤセグメントへの円弧状又はアーチ状の移行部を含んでいる。図示のように、第４脚部７４は、ドーム３２の近位端４０と遠位端４２との間の中間位置で、第１脚部５０の下側を通る。例えば、第４脚部７４は、ガイドワイヤ２０の中心長手方向軸線Ｘに対して、Ｙ平面（図３）内で若干角度がついた経路を移動する。第４脚部７４はまた、ドーム３２の遠位端４２で第２脚部５４の下側に延びている。図示のように、第４脚部７４は、第２脚部５４が第１脚部５０の下側を通る場所の近く（例えば約５ｍｍ以内）で、第２脚部５４の下側に延びている。
【００２７】
図示のように、第４脚部７４は、上方に向かって遠位側へ延びるセグメント８０で終わっている。このセグメント８０はフック８０とも記載する。ガイドワイヤ２０の遠位端２４に相当する、上方に向かって延びるフック８０は、ワイヤセグメントを整列させ、交差点（ガイドワイヤの複数の交差セグメントとも記載する）の位置と、展開状態又は拡張状態におけるガイドワイヤ２０の形状全体とを画定するのを助けるための係止又は固定メカニズムとして作用することができる。
【００２８】
比較的細長い形態（例えば細針内部に保持されるとき）から、臓器壁に係合するための展開形態へガイドワイヤ２０を展開するための種々の方法が考えられる。いくつかの実施態様では、臓器（例えば胆嚢）の壁Ｗを穿刺して穿孔Ｈ（図１）を形成するために、内視鏡の誘導のもとで細針（例えばＥＵＳ細針）（図示せず）が利用される。ガイドワイヤ２０は細針と一緒に穿孔に送達される。細針内には、ガイドワイヤ２０はほぼ折り畳まれた（例えば概ね細長い）形態で含まれている。参考までに述べるならば、「細長い形態（elongate configuration)」という用語は、図示されているドーム部分３２の形状のような複雑な形状ではなく、より単純なジオメトリ（例えば線又は弧）を含む。
【００２９】
ガイドワイヤ２０は針から展開され、そしてガイドワイヤ２０の遠位端２４から始まって連続して展開される。例えば、ガイドワイヤ２０は、フック８０から始まってその形状を弾性的に復元し、次いで曲がりくねりながら、ガイドワイヤの遠位端２４で始まってステム３０で終わるその複雑な最終形状になる。ステム３０は、使用者がこれに緊張を与えるのを可能にするのに充分な長さを有しており、ひいては臓器外部から、壁を通して、極めて小さな穿孔Ｈを通してドーム３２に緊張を加える手段を提供する。その緊張は、いくつかの実施態様によれば、臓器の壁Ｗを引き込むために用いることができる。いくつかの例では、ガイドワイヤは最大直径が０．８ｍｍであり、比較的小さな開孔を容易にするものの、より小さな直径を含む種々の寸法が考えられる。
【００３０】
図５及び６は、ガイドワイヤが展開に続いて、ステム３０に引き込み力Ｆ（図６）が加えられることによってどのように変形するかを示している。図５（引き込み力Ｆがない）と図６（引き込み力Ｆがある）とを比較することによって明らかなように、ドーム３２の種々の交差ワイヤセグメントはドーム３２の圧潰に弾性的に抵抗する。加えて、Ｚ平面内のドーム３２、具体的には近位端４０の底部接触面の比較的広幅の形状は、引き込み中、穿孔に対する応力付与を回避するのを助ける（例えば裂断又は漏れの機会を減らす）。ドーム３２の開いた内部４８、及び前述の拡大されたフットプリントはまた、デバイス（例えばドレナージデバイス）がガイドワイヤ２０のステム部分３０に被さって、所望のように穿孔Ｈ内へ、又は穿孔Ｈを通って送達されるのを支援する。
【００３１】
いくつかの実施態様では、ガイドワイヤ２０を取り除くために、針又は他の送達デバイス（図示せず）が穿孔を通して再導入され、ガイドワイヤ２０は送達デバイス内へ引き込まれ、折り畳み形態へ戻される。
【００３２】
本発明の範囲を逸脱することなしに、種々の変更及び追加を模範的実施形態に施すことができる。例えば、上記実施態様は特定の特徴に言及しているが、本発明の範囲はまた、特徴の異なる組み合わせを有する実施態様、並びに、上記特徴の全てを含まない実施態様を含む。
【図１】
2019500924.tif 000003
【図２】
2019500924.tif 000004
【図３】
2019500924.tif 000005
【図４】
2019500924.tif 000006
【図５】
2019500924.tif 000007
【図６】
2019500924.tif 000008
【手続補正書】
【提出日】平成30年6月14日(2018.6.14)
【手続補正１】
【補正対象書類名】明細書
【補正対象項目名】００３２
【補正方法】変更
【補正の内容】
【００３２】
本発明の範囲を逸脱することなしに、種々の変更及び追加を模範的実施形態に施すことができる。例えば、上記実施態様は特定の特徴に言及しているが、本発明の範囲はまた、特徴の異なる組み合わせを有する実施態様、並びに、上記特徴の全てを含まない実施態様を含む。以下、本発明の実施形態の例を列記する。
［１］
細長い形態から展開形態へ推移するように形成された引き込みガイドワイヤであって、上記引き込みガイドワイヤの上記展開形態が、
ステム部分と、
遠位端及び近位端を有するドーム部分と
を含み、上記ステム部分が上記ドーム部分の遠位端から近位側へ延びている、
引き込みガイドワイヤ。
［２］
上記ドーム部分が、第１側と、上記第１側とは横方向で反対側に画定された第２側とを有しており、さらに、上記ドーム部分が、上記ドーム部分の上記遠位端から上記近位端へ延びる、上記ドーム部分の上記第１側に位置する第１接触ループと、上記ドーム部分の上記遠位端から上記近位端へ延びる、上記ドーム部分の上記第２側に位置する第２接触ループと、を含む、項目１に記載の引き込みガイドワイヤ。
［３］
上記ドーム部分の上記近位端が、臓器の表面に係合するためのほぼ平面的な係合面を画定する、項目１に記載の引き込みガイドワイヤ。
［４］
上記ドーム部分が、上記ドーム部分の上記近位端に位置するワイヤのアーチ状の延びによって画定された第１足部と、上記ドーム部分の上記近位端に位置するワイヤのアーチ状の延びによって画定された第２足部とを含む、項目１に記載の引き込みガイドワイヤ。
［５］
上記ドーム部分が開いた内部領域を画定しており、上記内部領域を通って上記ステム部分が延びている、項目１に記載の引き込みガイドワイヤ。
［６］
上記ドーム部分と上記ステム部分とが係止配列を成して相互結合されており、上記係止配列が、上記引き込みガイドワイヤの複数の交差セグメントを含む、項目１に記載の引き込みガイドワイヤ。
［７］
上記ステム部分が近位方向に引き込まれる結果として、上記ドーム部分の遠位端に位置する上記引き込みガイドワイヤの複数の交差セグメントに圧縮力が加えられるように、上記ドーム部分が上記ステム部分から延びている、項目１に記載の引き込みガイドワイヤ。
［８］
上記引き込みガイドワイヤが遠位端と近位端とを有しており、さらに、上記引き込みガイドワイヤの上記遠位端が上記ドーム部分の上記遠位端に配置されている、項目１に記載の引き込みガイドワイヤ。
［９］
上記引き込みガイドワイヤがモノリシックな長さのニッケル−チタンフィラメントとして形成されている、項目１に記載の引き込みガイドワイヤ。
［１０］
上記引き込みガイドワイヤの外径が０．８ｍｍ以下である、項目１に記載の引き込みガイドワイヤ。
［１１］
上記ドーム部分が、上記ステム部分から所定の半径方向距離だけ間隔を置いたアーチ状接触足部を画定している、項目１に記載の引き込みガイドワイヤ。
［１２］
上記ドーム部分が非外傷性である、項目１に記載の引き込みガイドワイヤ。
［１３］
第１端部から第２端部へ延びる引き込みガイドワイヤを製造する方法であって、上記方法が、比較的細長い形態から展開形態へ弾性的に推移するようにフィラメントを処理することを含み、上記展開形態が、ステム部分と、遠位端及び近位端を有するドーム部分とを含み、上記ステム部分が上記ドーム部分の遠位端から近位側へ延びている、方法。
［１４］
上記展開形態が、第１側と、上記第１側とは横方向で反対側に画定された第２側とを有する上記ドーム部分を含むように、上記フィラメントが処理され、さらに、上記ドーム部分が、上記ドーム部分の上記遠位端から上記近位端へ延びる、上記ドーム部分の上記第１側に位置する第１接触ループと、上記ドーム部分の上記遠位端から上記近位端へ延びる、上記ドーム部分の上記第２側に位置する第２接触ループと、を含む、項目１３に記載の方法。
［１５］
上記展開形態が、臓器の表面に係合するためのほぼ平面的な係合面を画定する上記ドーム部分の近位端を含むように、上記フィラメントが処理される、項目１３に記載の方法。
［１６］
上記展開形態が、上記ドーム部分の上記近位端に位置するワイヤのアーチ状の延びによって画定された第１足部と、上記ドーム部分の上記近位端に位置するワイヤのアーチ状の延びによって画定された第２足部とを含む上記ドーム部分を含むように、上記フィラメントが処理される、項目１３に記載の方法。
［１７］
上記展開形態が、開いた内部領域を画定する上記ドーム部分を含み、上記内部領域を通って上記ステム部分が延びるように、上記フィラメントが処理される、項目１３に記載の方法。
［１８］
上記展開形態が、係止配列を成して相互結合された上記ドーム部分と上記ステム部分とを含み、上記係止配列が、上記引き込みガイドワイヤの複数の交差セグメントを含むように、上記フィラメントが処理される、項目１３に記載の方法。
［１９］
上記ステム部分が近位方向に引き込まれる結果として、上記ドーム部分の遠位端に位置する上記引き込みガイドワイヤの複数の交差セグメントに圧縮力が加えられるように、上記展開形態が上記ステム部分から延びる上記ドーム部分を含むように、上記フィラメントが処理される、項目１３に記載の方法。
［２０］
上記展開形態が遠位端と近位端とを有する上記引き込みガイドワイヤを含むように上記フィラメントが処理され、さらに、上記引き込みガイドワイヤの上記遠位端が上記ドーム部分の上記遠位端に配置される、項目１３に記載の方法。
［２１］
上記引き込みガイドワイヤがモノリシックな長さのニッケル−チタンフィラメントとして形成される、項目１３に記載の方法。
［２２］
上記フィラメントの外径が上記細長い形態では０．８ｍｍ以下である、項目１３に記載の方法。
［２３］
上記展開形態が、上記ステム部分から所定の半径方向距離だけ間隔を置いたアーチ状接触足部を画定する上記ドーム部分を含むように、上記フィラメントが処理される、項目１３に記載の方法。
［２４］
上記展開形態が非外傷性である上記ドーム部分を含むように、上記フィラメントが処理される、項目１３に記載の方法。
［２５］
引き込みガイドワイヤを細長い形態から展開形態へ展開する方法であって、上記方法が、
送達デバイスによって臓器壁に穿孔を形成することと、
上記送達デバイスから上記引き込みガイドワイヤを延ばして、上記引き込みガイドワイヤが展開形態へ推移するようにすることと
を含み、上記展開形態が、
ステム部分と、
遠位端及び近位端を有するドーム部分と
を含み、上記ステム部分が上記ドーム部分の遠位端から近位側へ延びている、方法。
［２６］
上記ドーム部分が上記臓器壁に引き込み力を加えるように、上記ステム部分を緊張させることを更に含む、項目２５に記載の方法。
［２７］
上記送達デバイスが中空針である、項目２５に記載の方法。
【手続補正２】
【補正対象書類名】特許請求の範囲
【補正対象項目名】全文
【補正方法】変更
【補正の内容】
【特許請求の範囲】
【請求項１】
細長い形態から展開形態へ推移するように形成された引き込みガイドワイヤであって、前記引き込みガイドワイヤの前記展開形態が、
ステム部分と、
遠位端及び近位端を有するドーム部分と
を含み、前記ステム部分が前記ドーム部分の遠位端から近位側へ延びている、
引き込みガイドワイヤ。
【請求項２】
前記ドーム部分が、第１側と、前記第１側とは横方向で反対側に画定された第２側とを有しており、さらに、前記ドーム部分が、前記ドーム部分の前記遠位端から前記近位端へ延びる、前記ドーム部分の前記第１側に位置する第１接触ループと、前記ドーム部分の前記遠位端から前記近位端へ延びる、前記ドーム部分の前記第２側に位置する第２接触ループと、を含む、請求項１に記載の引き込みガイドワイヤ。
【請求項３】
前記ドーム部分の前記近位端が、臓器の表面に係合するためのほぼ平面的な係合面を画定する、請求項１又は２に記載の引き込みガイドワイヤ。
【請求項４】
前記ドーム部分が、前記ドーム部分の前記近位端に位置するワイヤのアーチ状の延びによって画定された第１足部と、前記ドーム部分の前記近位端に位置するワイヤのアーチ状の延びによって画定された第２足部とを含む、請求項１〜３のいずれか一項に記載の引き込みガイドワイヤ。
【請求項５】
前記ドーム部分が開いた内部領域を画定しており、前記内部領域を通って前記ステム部分が延びている、請求項１〜４のいずれか一項に記載の引き込みガイドワイヤ。
【請求項６】
前記ドーム部分と前記ステム部分とが係止配列を成して相互結合されており、前記係止配列が、前記引き込みガイドワイヤの複数の交差セグメントを含む、請求項１〜５のいずれか一項に記載の引き込みガイドワイヤ。
【請求項７】
前記ステム部分が近位方向に引き込まれる結果として、前記ドーム部分の遠位端に位置する前記引き込みガイドワイヤの複数の交差セグメントに圧縮力が加えられるように、前記ドーム部分が前記ステム部分から延びている、請求項１〜６のいずれか一項に記載の引き込みガイドワイヤ。
【請求項８】
前記引き込みガイドワイヤが遠位端と近位端とを有しており、さらに、前記引き込みガイドワイヤの前記遠位端が前記ドーム部分の前記遠位端に配置されている、請求項１〜７のいずれか一項に記載の引き込みガイドワイヤ。
【請求項９】
前記引き込みガイドワイヤがモノリシックな長さのニッケル−チタンフィラメントとして形成されている、請求項１〜８のいずれか一項に記載の引き込みガイドワイヤ。
【請求項１０】
前記引き込みガイドワイヤの外径が０．８ｍｍ以下である、請求項１〜９のいずれか一項に記載の引き込みガイドワイヤ。
【請求項１１】
前記ドーム部分が、前記ステム部分から所定の半径方向距離だけ間隔を置いたアーチ状接触足部を画定している、請求項１〜１０のいずれか一項に記載の引き込みガイドワイヤ。
【請求項１２】
前記ドーム部分が非外傷性である、請求項１〜１１のいずれか一項に記載の引き込みガイドワイヤ。
【請求項１３】
第１端部から第２端部へ延びる引き込みガイドワイヤを製造する方法であって、前記方法が、比較的細長い形態から展開形態へ弾性的に推移するようにフィラメントを処理することを含み、前記展開形態が、ステム部分と、遠位端及び近位端を有するドーム部分とを含み、前記ステム部分が前記ドーム部分の遠位端から近位側へ延びている、方法。
【請求項１４】
前記展開形態が、第１側と、前記第１側とは横方向で反対側に画定された第２側とを有する前記ドーム部分を含むように、前記フィラメントが処理され、さらに、前記ドーム部分が、前記ドーム部分の前記遠位端から前記近位端へ延びる、前記ドーム部分の前記第１側に位置する第１接触ループと、前記ドーム部分の前記遠位端から前記近位端へ延びる、前記ドーム部分の前記第２側に位置する第２接触ループと、を含む、請求項１３に記載の方法。
【請求項１５】
前記展開形態が、臓器の表面に係合するためのほぼ平面的な係合面を画定する前記ドーム部分の近位端を含むように、前記フィラメントが処理される、請求項１３又は１４に記載の方法。
【請求項１６】
前記展開形態が、前記ドーム部分の前記近位端に位置するワイヤのアーチ状の延びによって画定された第１足部と、前記ドーム部分の前記近位端に位置するワイヤのアーチ状の延びによって画定された第２足部とを含む前記ドーム部分を含むように、前記フィラメントが処理される、請求項１３〜１５のいずれか一項に記載の方法。
【請求項１７】
前記展開形態が、開いた内部領域を画定する前記ドーム部分を含み、前記内部領域を通って前記ステム部分が延びるように、前記フィラメントが処理される、請求項１３〜１６のいずれか一項に記載の方法。
【請求項１８】
前記展開形態が、係止配列を成して相互結合された前記ドーム部分と前記ステム部分とを含み、前記係止配列が、前記引き込みガイドワイヤの複数の交差セグメントを含むように、前記フィラメントが処理される、請求項１３〜１７のいずれか一項に記載の方法。
【請求項１９】
前記ステム部分が近位方向に引き込まれる結果として、前記ドーム部分の遠位端に位置する前記引き込みガイドワイヤの複数の交差セグメントに圧縮力が加えられるように、前記展開形態が前記ステム部分から延びる前記ドーム部分を含むように、前記フィラメントが処理される、請求項１３〜１８のいずれか一項に記載の方法。
【請求項２０】
前記展開形態が遠位端と近位端とを有する前記引き込みガイドワイヤを含むように前記フィラメントが処理され、さらに、前記引き込みガイドワイヤの前記遠位端が前記ドーム部分の前記遠位端に配置される、請求項１３〜１９のいずれか一項に記載の方法。
【請求項２１】
前記引き込みガイドワイヤがモノリシックな長さのニッケル−チタンフィラメントとして形成される、請求項１３〜２０のいずれか一項に記載の方法。
【請求項２２】
前記フィラメントの外径が前記細長い形態では０．８ｍｍ以下である、請求項１３〜２１のいずれか一項に記載の方法。
【請求項２３】
前記展開形態が、前記ステム部分から所定の半径方向距離だけ間隔を置いたアーチ状接触足部を画定する前記ドーム部分を含むように、前記フィラメントが処理される、請求項１３〜２２のいずれか一項に記載の方法。
【請求項２４】
前記展開形態が非外傷性である前記ドーム部分を含むように、前記フィラメントが処理される、請求項１３〜２３のいずれか一項に記載の方法。
【国際調査報告】
2019500924.tif 000009
2019500924.tif 000010
2019500924.tif 000011